(57)【要約】【課題】キャスティング性能に優れ、効果的なルアーアクションを実現する釣り用ルアーを提供する。【解決手段】小魚を模した外観形状となるように形成されたルアーボディ１１を有する。ルアーボディ１１の先端部付近に潜水板２０を有し、潜水板２０が折曲可能に構成される。潜水板２０の上部２１及び下部２２が折曲可能に結合し、ルアーボディ１１に固定された上部２１に対して下部２２が上下に回動することにより潜水板２０が折曲可能である。【選択図】図２
2008113629.tif 000002
【特許請求の範囲】
【請求項１】
小魚を模した外観形状となるように形成されたルアーボディを有する釣り用ルアーであって、
前記ルアーボディの先端部付近に潜水板を有し、この潜水板が折曲可能に構成されたことを特徴とする釣り用ルアー。
【請求項２】
前記潜水板の上部及び下部が相対的に回動可能に結合し、前記ルアーボディに固定された前記上部に対して前記下部が上下に回動することにより前記潜水板が折曲可能であることを特徴とする請求項１に記載の釣り用ルアー。
【請求項３】
前記潜水板の前記上部及び前記下部は相互にピン結合すると共に、その結合部至近部位に前記上部及び前記下部が凹凸状に重合するようにした係合部を設け、この係合部により前記潜水板を面一形態に保持し得るようにしたことを特徴とする請求項２に記載の釣り用ルアー。
【発明の詳細な説明】
【技術分野】
【０００１】
本発明は、釣り用ルアーに関するものである。
【背景技術】
【０００２】
ルアー釣りにおいて、対象魚の種類等に応じて様々な形態や工夫が施されたルアーが考案されている。例えば、所謂フィッシュイーターと呼ばれる主に小魚を常食餌とする大型の対象魚の場合、小魚に似せた形態のルアーが使用される。対象魚を誘い、つまり対象魚に対して強くアピールする集魚効果を得るために、ルアーの形や色彩等につき工夫がなされている。
【０００３】
この種のルアーにおける対象魚に対するアピール効果は形態ばかりでなく、ルアーが水中での遊泳中にとるルアーアクションもまた重要なポイントになる。例えば特に、ルアーボディの先端部付近に付設したリップ（潜水板）を備えたルアーにあっては、遊泳中に該リップによって水流抵抗を受けることでルアーアクションをとりながら、遊泳軌跡を描くようにしている。例えば特許文献１に記載のルアーは、ルアー本体から突出した板状構造を有するリップを有している。
【０００４】
【特許文献１】特開２００４−５７２０３号公報
【発明の開示】
【発明が解決しようとする課題】
【０００５】
ところで、上述したリップを有するルアー等において目標とするポイントを狙ってキャスティングし、着水後釣り糸（ライン）を引くことで水中を遊泳させる。従来ルアーではキャスティング時リップが空気抵抗を受け、その結果不規則な回転運動等をしたり、飛距離が出ない等の問題があった。また、一般にルアーアクションに変化を持たせることで対象魚に対するアピール効果を高めることができるが、従来ルアーではリップは固定式であるため遊泳中のルアーアクションや遊泳軌跡等に変化をつけるのが必ずしも容易でなかった。これらの要因が釣果に影響を与える場合がある。
【０００６】
本発明はかかる実情に鑑み、キャスティング性能に優れ、効果的なルアーアクションを実現する釣り用ルアーを提供することを目的とする。
【課題を解決するための手段】
【０００７】
本発明の釣り用ルアーは、小魚を模した外観形状となるように形成されたルアーボディを有する釣り用ルアーであって、前記ルアーボディの先端部付近に潜水板を有し、この潜水板が折曲可能に構成されたことを特徴とする。
【０００８】
また、本発明の釣り用ルアーにおいて、前記潜水板の上部及び下部が相対的に回動可能に結合し、前記ルアーボディに固定された前記上部に対して前記下部が上下に回動することにより前記潜水板が折曲可能であることを特徴とする。
【０００９】
また、本発明の釣り用ルアーにおいて、前記潜水板の前記上部及び前記下部は相互にピン結合すると共に、その結合部至近部位に前記上部及び前記下部が凹凸状に重合するようにした係合部を設け、この係合部により前記潜水板を面一形態に保持し得るようにしたことを特徴とする。
【発明の効果】
【００１０】
本発明によれば、潜水板が折曲可能に構成される。常態では潜水板は面一形態に保持され、キャスティングの際にはルアーは後部側を前にした飛行姿勢をとることで、潜水板は空気抵抗を受け、下部がピンのまわりに回動する。潜水板が折曲することにより飛行時の空気抵抗が格段に減少し、飛距離を大幅に伸ばすことができる。キャスティングの精度を高め、高いキャスティング性能を得ることができる。
また、空気抵抗を減少することで、空気抵抗に起因する回転運動等を抑制し、飛行中の失速を避けることができる。この点でもキャスティングの精度を高めることができる。
【発明を実施するための最良の形態】
【００１１】
以下、本発明による釣り用ルアーの好適な実施の形態について、添付図面に基づいて詳細に説明する。
図１は、この実施形態における釣り用ルアー１０の例を示している。図において、１１はルアーボディであり、このルアーボディ１１は合成樹脂等の材料により小魚に似せた外観形状となるように形成されている。この場合、ルアーボディ１１の長手方向（前後方向）に沿って二分した左右２つのボディハーフを相互に当接させることで一体化し、中空構造を有する。
【００１２】
また、１２はルアーボディ１１の先端部に設けた糸環であり、この糸環１２に釣糸１３が結び付けられる。更に、１４はフックハンガ、１５はフックハンガであり、これらにフロントフック（釣針）１６及びリヤフック１７が係着する。なお、必要に応じて、ルアーボディ１１の内部に通常、金属製のバランスウェイト１８が内蔵される。このバランスウェイト１８として、ルアーボディ１１の所定部位に固定されるもの、あるいはルアーボディ１１の長手方向に沿って移動可能なものなど単数あるいは複数個含んでよい。
【００１３】
更に、２０はルアーボディ１１の先端部付近に付設した潜水板（所謂、リップであり、その詳細については後述する）である。この潜水板２０は薄い板状に形成され、ルアーボディ１１に対して適度に下方に傾斜（典型的には前下がり）するように設けられる。これにより釣糸１３を引くことでルアー１０は潜行姿勢をとることができる。本発明では特に、潜水板２０が折曲可能に構成される。
【００１４】
この実施形態において、潜水板２０は図２示されるように、上部２１及び下部２２が折曲可能に結合し、ルアーボディ１１に固定された上部２１に対して下部２２が上下に回動する（図１、矢印Ａ参照）ことにより潜水板２０が折曲可能である。
【００１５】
潜水板２０の具体的構成において、上部２１及び下部２２はピン２３を介して相互にピン結合する。図３にも示すように上部２１及び下部２３はそれぞれ、ピン２３が挿通するピン挿通孔２４，２５を有し、一方の下部２３がピン２３のまわりに回動するようになっている。ピン挿通孔２４，２５にピン２３が挿通してなる結合部至近部位には、上部２１及び下部２２が凹凸状に重合するようにした係合部２６，２７が形成され、これらの係合部２６，２７により潜水板２０を面一形態に保持し得るようにしている。
【００１６】
上部２１の係合部２６は図３に示されるように挿通孔２４の両側を切り欠くと共に、その一部を薄肉化して段状に形成してなり（図３（ｂ））、下部２２の係合部２７は挿通孔２５の上部を突出させると共に、その一部を薄肉化して段状に形成してなる。係合部２６及び係合部２７は図４に示すように相互に重合して、このとき潜水板２０は全体として一体化・面一化する。
【００１７】
なお、上記の場合、図４に示されるように潜水板２０の上部２１の裏側（下側）に補強リブ２８が設けられる。補強リブ２８を設けることで潜水板２０が薄く形成された場合でも潜水板２０の強度剛性を確保することができる。なお、潜水板２０自体で既に所定の強度等を有している場合、必ずしも補強リブ２８を設ける必要はなく、即ち選択的に採用することができる。
【００１８】
本発明の釣り用ルアーにおいて、キャスティングされたルアー１０は着水後、釣糸１３を引くことで潜水板２０が水流抵抗を受けて、前傾姿勢をとって潜行する。その場合、釣糸１３の引き加減等で、ルアーボディ１１が所望のルアーアクションをとるように制御することができる。
【００１９】
本発明では特に、潜水板２０が折曲可能に構成される。常態では係合部２６，２７が相互に係合して図１、実線で示されるように潜水板２０は面一形態に保持されている。ところで、キャスティングの際にはルアー１０はルアーボディ１１の後部側（尾ひれ部１９）を前にして飛行する。このような飛行姿勢をとることで、潜水板２０は図１の矢印Ｗで示されるような空気抵抗を受け、この空気抵抗により潜水板２０の下部２２がピン２３のまわりに回動する。潜水板２０が折曲することにより飛行時の空気抵抗が格段に減少し、これにより飛距離を大幅に伸ばすことができる。これにより目標とするポイントを狙い易くし、即ちキャスティングの精度を高め、結果的に高いキャスティング性能を得ることができる。
【００２０】
この種のルアーでは一般に、飛行時の空気抵抗により不規則な回転運動等が生じて、そのままでは不用意に失速し易い。これに対して本発明のルアー１０は上述のように空気抵抗を減少することで、そのような回転運動等を抑制し、飛行中の失速を避けることでこの点でもキャスティングの精度を高めることができる。なお、ルアー１０は着水後、潜水板２０が水を受けて元の状態（面一形態）に復帰し、水中を遊泳する。
【００２１】
また、本発明のルアー１０は潜水板２０は薄板状に形成されているため、所謂シャープできびきびしたルアーアクションを出すことができる。即ち、一定時間内に取り得るアクション数（種類）が増え、集魚効果を高めることができる。
【００２２】
更に、水中での遊泳中に仮に水中の障害物等に接触した際、潜水板２０が折曲可能であるから障害物等に逆らわず、その下部２２が適度に回動する。そして、イレギュラーで意図しないルアーアクションが生じ、ルアー１０の泳ぎに変化を出すことができる。また、障害物等に接触後、その障害物から離れ際などに潜水板２０が元の状態に戻ろうとし、この場合にも更に２次的アクション変化をもたらすことが可能である。
【００２３】
潜水板２０全体として合成樹脂製であることから適度な弾性及び柔軟性を有している。また、上部２１及び下部２２はピン２３を介してピン結合し、両者の結合部においても折曲可能である。これにより水中の障害物に限らず、キャスティング時等において地上の障害物等に接触あるいは衝突した場合、破損し難く、耐衝撃性に優れている。
【００２４】
ここで、図５は本発明のルアー１０の変形例を示している。図５（ａ）の例では潜水板２０は右部２０Ａ及び左部２０Ｂにより分割構成され、両者はピン２３を介して結合すると共に、矢印で示すように前方側へ回動可能に構成されている。その他の構成については実質的に前記実施形態の場合と同様である。
【００２５】
また、図５（ｂ）例では潜水板２０は右部２０Ａ、左部２０Ｂ及び中央部２０Ｃにより分割構成され、右部２０Ａ及び左部２０Ｂはそれぞれ中央部２０Ｃに対して、ピン２３を介して結合すると共に、矢印で示すように前方側へ回動可能に構成されている。
【００２６】
これら図５の例の場合も潜水板２０は折曲可能に構成され、常態では面一形態に保持されている。キャスティング時には右部２０Ａ及び左部２０Ｂが前方へ回動する。これにより前述の例と同様に、ルアーボディ１１の後部側を前にして飛行することで、飛行時の空気抵抗が減少して飛距離を伸ばすことができる。また、ルアー１０の着水後、潜水板２０が水を受けて水中を遊泳する。
【００２７】
なお、本発明の好適な実施形態を説明したが、本発明は上述した実施形態にのみ限定されるものではなく、必要に応じて適宜変更等が可能である。
潜水板２０（特に下部２２）はルアーボディ１１とは別部品であるから、異なる材質を自由に採用可能であり、例えば強度の高い材質や反射率の高い材質、具体的には金属やカーボン等を用いることができる。また、潜水板２０の形状あるいは大きさ等についても、図示例のものの他、ルアー１０の目的とする泳ぎに応じて採用可能である。
【図面の簡単な説明】
【００２８】
【図１】本発明の実施形態に係る釣り用ルアーの側面図である。
【図２】本発明の実施形態に係る釣り用ルアーの正面図である。
【図３】本発明の実施形態に係る潜水板の構成例を示す正面図及び側面図である。
【図４】本発明の実施形態に係る潜水板の作用を示す側面図である。
【図５】本発明の実施形態に係る釣り用ルアーの変形例を示すそれぞれ正面図である。
【符号の説明】
【００２９】
１０  ルアー
１１  ルアーボディ
１２  糸環
１３  釣糸
１４，１５  フックハンガ
１６  フロントフック
１７  リヤフック
２０  潜水板
２１  上部
２２  下部
２３  ピン
２６，２７  係合部
【図１】
2008113629.tif 000003
【図２】
2008113629.tif 000004
【図３】
2008113629.tif 000005
【図４】
2008113629.tif 000006
【図５】
2008113629.tif 000007